(57)【要約】この出願の実施形態は、情報送信装置及び装置を提供し、高帯域幅で送信される情報のＰＡＰＲを低減するための通信技術の分野に関する。方法は、Ｘ  ＭＨｚの帯域幅を持つ物理レイヤプロトコルデータユニットＰＰＤＵを生成するステップであって、Ｘ＞１６０であり、ＰＰＤＵ内のいくつか又は全てのフィールドは、ローテーション因子列を用いることによってＸ  ＭＨｚの帯域幅の中でローテーションされ、Ｘ  ＭＨｚの帯域幅は、Ｙ  ＭＨｚのｎ個の帯域幅を含み、ローテーション因子列は、ｎ個のローテーション因子を含み、Ｙ  ＭＨｚの各帯域幅は、１つのローテーション因子に対応する、ステップと、Ｘ  ＭＨｚの帯域幅を持つＰＰＤＵを送信するステップとを含む。
2021517431.tif 000002
【特許請求の範囲】
【請求項１】
情報送信方法であって、前記方法は、
Ｘ  ＭＨｚの帯域幅を持つ物理レイヤプロトコルデータユニット（ＰＰＤＵ）を生成するステップであって、Ｘ＞１６０であり、前記ＰＰＤＵ内のいくつか又は全てのフィールドは、ローテーション因子列を用いることによって、Ｘ  ＭＨｚの前記帯域幅の中でローテーションされ、Ｘ  ＭＨｚの前記帯域幅は、Ｙ  ＭＨｚのｎ個の帯域幅を含み、前記ローテーション因子列は、ｎ個のローテーション因子を含み、Ｙ  ＭＨｚの各帯域幅は、１つのローテーション因子に対応する、ステップと、
Ｘ  ＭＨｚの前記帯域幅を持つ前記ＰＰＤＵを送信するステップと
を含む、方法。
【請求項２】
Ｘ  ＭＨｚの帯域幅を持つＰＰＤＵを生成する前記ステップの前に、前記方法は、
前記ＰＰＤＵを送信するためのＸ  ＭＨｚの前記帯域幅を選択するステップであって、前記Ｘ  ＭＨｚは、次のもの、即ち、２００ＭＨｚ、２４０ＭＨｚ、２８０ＭＨｚ、及び３２０ＭＨｚのうちのいずれか１つである、ステップをさらに含む、
請求項１に記載の方法。
【請求項３】
前記ＰＰＤＵに含まれるレガシーショートトレーニングフィールドＬ−ＳＴＦ、レガシーロングトレーニングフィールドＬ−ＬＴＦ、及びレガシーシグナルフィールドＬ−ＳＩＧは、Ｙ  ＭＨｚの前記ｎ個の帯域幅において複製され、前記Ｌ−ＳＴＦ、前記Ｌ−ＬＴＦ、及び前記Ｌ−ＳＩＧは、前記ローテーション因子列を用いることによってローテーションされる、
請求項１又は２に記載の方法。
【請求項４】
Ｙ  ＭＨｚの前記ｎ個の帯域幅の少なくとも１つ内のフィールドがローテーションされる、
請求項１〜３のいずれか１項に記載の方法。
【請求項５】
Ｙ＝２０であり、前記ローテーション因子列における最初の４つのローテーション因子は［１  −１  −１  −１］である、
請求項１〜４のいずれか１項に記載の方法。
【請求項６】
Ｘ＝２００であり、前記ローテーション因子列は、［１  −１  −１  −１  −１  −ｊ  ｊ  −ｊ  −１  １］である、
請求項５に記載の方法。
【請求項７】
Ｘ＝２４０であり、前記ローテーション因子列は、次の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである、
請求項５に記載の方法。
【請求項８】
Ｘ＝２８０であり、前記ローテーション因子列は、次の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のうちのいずれか１つである、
請求項５に記載の方法。
【請求項９】
Ｘ＝３２０であり、前記ローテーション因子列は、次の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のうちのいずれか１つである、
請求項５に記載の方法。
【請求項１０】
Ｘ＝２００、Ｙ＝２０、ｎ＝１０であり、前記ローテーション因子列は、本願明細書内の表１−３に示されたローテーション因子列のいずれか１つである、
請求項１〜４のいずれか１項に記載の方法。
【請求項１１】
Ｘ＝２４０、Ｙ＝２０、ｎ＝１２であり、前記ローテーション因子列は、本願明細書内の表２−３に示されたローテーション因子列のいずれか１つである、
請求項１〜４のいずれか１項に記載の方法。
【請求項１２】
情報送信装置であって、前記装置は、
Ｘ  ＭＨｚの帯域幅を持つ物理レイヤプロトコルデータユニットＰＰＤＵを生成することであって、Ｘ＞１６０であり、前記ＰＰＤＵ内のいくつか又は全てのフィールドは、ローテーション因子列を用いることによって、Ｘ  ＭＨｚの前記帯域幅の中でローテーションされ、Ｘ  ＭＨｚの前記帯域幅は、Ｙ  ＭＨｚのｎ個の帯域幅を含み、前記ローテーション因子列は、ｎ個のローテーション因子を含み、Ｙ  ＭＨｚの各帯域幅は、１つのローテーション因子に対応する、ことを行うように構成された生成ユニットと、
Ｘ  ＭＨｚの前記帯域幅を持つ前記ＰＰＤＵを送信するように構成された送信ユニットと
を備える、情報送信装置。
【請求項１３】
前記装置は、前記ＰＰＤＵを送信するためのＸ  ＭＨｚの前記帯域幅を選択することであって、前記Ｘ  ＭＨｚは、次のもの、即ち、２００ＭＨｚ、２４０ＭＨｚ、２８０ＭＨｚ、及び３２０ＭＨｚのうちのいずれか１つである、ことを行うように構成された選択ユニットをさらに備える、
請求項１２に記載の装置。
【請求項１４】
前記ＰＰＤＵに含まれる、レガシーショートトレーニングフィールドＬ−ＳＴＦ、レガシーロングトレーニングフィールドＬ−ＬＴＦ、及びレガシーシグナルフィールドＬ−ＳＩＧは、Ｙ  ＭＨｚの前記ｎ個の帯域幅において複製され、前記Ｌ−ＳＴＦ、前記Ｌ−ＬＴＦ、及び前記Ｌ−ＳＩＧは、前記ローテーション因子列を用いることによってローテーションされる、
請求項１２又は１３に記載の方法。
【請求項１５】
Ｙ  ＭＨｚの前記ｎ個の帯域幅の少なくとも１つ内のフィールドがローテーションされる、
請求項１２〜１４のいずれか１項に記載の装置。
【請求項１６】
Ｙ＝２０であり、前記ローテーション因子列における最初の４つのローテーション因子は［１  −１  −１  −１］である、
請求項１２〜１５のいずれか１項に記載の装置。
【請求項１７】
Ｘ＝２００であり、前記ローテーション因子列は、［１  −１  −１  −１  −１  −ｊ  ｊ  −ｊ  −１  １］である、
請求項１６に記載の装置。
【請求項１８】
Ｘ＝２４０であり、前記ローテーション因子列は、次の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである、
請求項１６に記載の装置。
【請求項１９】
Ｘ＝２８０であり、前記ローテーション因子列は、次の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のうちのいずれか１つである、
請求項１６に記載の装置。
【請求項２０】
Ｘ＝３２０であり、前記ローテーション因子列は、次の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のうちのいずれか１つである、
請求項１６に記載の装置。
【請求項２１】
Ｘ＝２００、Ｙ＝２０、ｎ＝１０であり、前記ローテーション因子列は、本願明細書内の表１−３に示されたローテーション因子列のいずれか１つである、
請求項１２〜１５のいずれか１項に記載の装置。
【請求項２２】
Ｘ＝２４０、Ｙ＝２０、ｎ＝１２であり、前記ローテーション因子列は、本願明細書内の表２−３に示されたローテーション因子列のいずれか１つである、
請求項１２〜１５のいずれか１項に記載の装置。
【請求項２３】
情報送信装置であって、前記装置は、プロセッサとメモリとを備え、前記メモリは、命令を格納するように構成され、前記プロセッサは、前記メモリ内の前記命令を実行して、請求項１〜１１のいずれか１項に記載の前記方法を実行するように構成されている、
情報送信装置。
【請求項２４】
コンピュータ可読記録媒体であって、前記コンピュータ可読記録媒体は、コンピュータプログラムを格納するように構成され、前記コンピュータプログラムがコンピュータ上で実行されるとき、前記コンピュータは、請求項１〜１１のいずれか１項に記載の前記方法を実行することができるようになる、
コンピュータ可読記録媒体。
【請求項２５】
コンピュータプログラム製品であって、前記コンピュータプログラム製品は、請求項１〜１１のいずれか１項に記載の前記方法を実行するために用いられる命令を含む、
コンピュータプログラム製品。
【請求項２６】
請求項１〜１１のいずれか１項に記載の前記方法を実行するように構成された、
情報送信装置。
【発明の詳細な説明】
【技術分野】
【０００１】
本出願は、その全体が参照により本明細書に組み込まれている、２０１８年３月３１日に国家知識産権ステーションに提出した、「ＩＮＦＯＭＡＴＩＯＮ  ＴＲＡＮＳＭＩＳＳＩＯＮ  ＭＥＴＨＯＤ  ＡＮＤ  ＡＰＰＡＲＡＴＵＳ」と題する、中国特許出願第２０１８１０２７８５９５．５号の優先権を主張するものである。
【０００２】
本出願は、通信技術の分野に関し、より詳細には、情報送信方法及び装置に関する。
【背景技術】
【０００３】
直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術は、マルチキャリア変調技術である。ＯＦＤＭ技術は、高いスペクトル効率及び耐マルチパスフェージングなどの利点を有するが、それは高いピーク対平均電力比（Ｐｅａｋ  ｔｏ  Ａｖｅｒａｇｅ  Ｐｏｗｅｒ  Ｒａｔｉｏ、ＰＡＰＲ）という欠点も有する。ＯＦＤＭ内の複数のサブキャリアの重ね合わせは比較的大きいピーク信号をもたらすため、高出力増幅器は比較的大きい線形ダイナミックレンジを必要とする。これは、高出力増幅器のコストを高め、高出力増幅器の効率をやはり低減する。ピーク値が高出力増幅器の線形ダイナミックレンジを超える場合、帯域内歪み及び帯域外分散が生じる。従って、ＰＡＰＲ低減は、ＯＦＤＭシステムの主要技術であり、大きい重要性を有する。
【０００４】
無線通信技術の急速な発展に伴い、無線通信プロトコル８０２．１１ａｘに新たに導入された６ＧＨｚ帯域は、１６０ＭＨｚを超える帯域幅をサポートし得る。より高い帯域幅が使用されるときに直面するＰＡＰＲ問題は、より深刻である。より高い帯域幅が使用されるときに生じるＰＡＰＲをどのように低減するかは、緊急に解決される必要がある問題である。
【発明の概要】
【０００５】
本出願の実施形態は、高帯域幅上で送信される情報のＰＡＰＲを低減するための情報送信方法及び装置を提供する。
【０００６】
前述の目標を達成するために、本出願の実施形態において、以下の技術的解決策が使用される。
【０００７】
第１の態様によれば、情報送信方法が提供され、ここで、この方法は、Ｘ  ＭＨｚの帯域幅を有する物理レイヤプロトコルデータユニットＰＰＤＵを生成することであって、ここで、Ｘ＞１６０であり、ＰＰＤＵ内のいくつかの又は全てのフィールドが、ローテーション因子列を使用することによってＸ  ＭＨｚの帯域幅内でローテーションされ、Ｘ  ＨＭｚの帯域幅が、Ｙ  ＭＨｚのｎ個の帯域幅を含み、ローテーション因子列がｎ個のローテーション因子を含み、Ｙ  ＭＨｚの各帯域幅が１つのローテーション因子に対応する、ことと、Ｘ  ＭＨｚの帯域幅を有するＰＰＤＵを送ることとを含む。ＰＰＤＵ内のいくつか又は全てのフィールドがローテーション因子列を使用することによってＸ  ＭＨｚの帯域幅内でローテーションされることは、ＰＰＤＵ内のいくつか又は全てのフィールドの各々がローテーション因子列を使用することによってＹ  ＭＨｚのｎ個の帯域幅内でローテーションされることであってもよい。前述の技術的解決策では、１６０ＭＨｚを超える帯域幅を有するＰＰＤＵが生成されてよく、ＰＰＤＵ内のいくつか又は全てのフィールドは、ローテーション因子列を使用することによってＸ  ＭＨｚの帯域幅内でローテーションされる。このようにして、ＰＰＤＵ内のいくつか又は全てのフィールドのＰＡＰＲは、高帯域幅が使用されるとき、ローテーション因子列を使用することによって低減されることが可能である。
【０００８】
第１の態様の可能な実装において、Ｘ  ＭＨｚの帯域幅を有するＰＰＤＵを生成する前に、この方法は、ＰＰＤＵを送信するためにＸ  ＭＨｚの帯域幅を選択することであって、ここで、Ｘ  ＭＨｘが、２００ＭＨｚ、２４０ＭＨｚ、２８０ＭＨｚ、及び３２０ＭＨｚのいずれか１つである、ことをさらに含む。前述の可能な実装において、高帯域幅のダイバーシティを改善し、高帯域幅を使用することによって情報が送信されるときの情報送信速度をさらに高めるために、１６０ＭＨｚを超えるいくつかの帯域幅が提供される。
【０００９】
第１の態様の可能な実装において、ＰＰＤＵ内に含まれる、レガシーショートトレーニングフィールドＬ−ＳＴＦ、レガシーロングトレーニングフィールドＬ−ＬＴＦ、及びレガシーシグナルフィールドＬ−ＳＩＧは、Ｙ  ＭＨｚのｎ個の帯域幅内で複製され、Ｌ−ＳＴＦ、Ｌ−ＬＴＦ、及びＬ−ＳＩＧは、ローテーション因子列を使用することによってローテーションされる。前述の可能な実装において、複製送信の間のＰＰＤＵ内のレガシープリアンブルのＰＡＰＲは、ＰＰＤＵ内でＬ−ＳＴＦ、Ｌ−ＬＴＦ、及びＬ−ＳＩＧをローテーションさせることによって低減されることが可能である。
【００１０】
第１の態様の可能な実装において、Ｙ  ＭＨｚのｎ個の帯域幅のうちの少なくとも１つの中のフィールドがローテーションされる。前述の可能な実装において、ＰＰＤＵ又はＰＰＤＵの一部分のＰＡＰＲは、Ｙ  ＭＨｚの少なくとも１つの帯域幅内のフィールドをローテーションさせることによって低減されることが可能である。
【００１１】
第１の態様の可能な実装において、Ｙ＝２０であり、ローテーション因子列内の第１の４個のローテーション因子は［１  −１  −１  −１］である。前述の可能な実装において、高帯域幅に対応するローテーション因子は、情報送信適合性を改善するために、８０ＭＨｚの帯域幅に対応するローテーション因子を含み得る。
【００１２】
第１の態様の可能な実装において、Ｘ＝２００であり、ローテーション因子列は［１  −１  −１  −１  −１  −ｊ  ｊ  −ｊ  −１  １］である。前述の可能な実装において、２００ＭＨｚの帯域幅を使用することによってＰＰＤＵが送信されるとき、２００ＭＨｚの帯域幅が使用されるときのＰＰＤＵのＰＡＰＲは、前述のローテーション因子を使用することによって最小化されることが可能である。
【００１３】
第１の態様の可能な実装において、Ｘ＝２４０であり、ローテーション因子列は以下の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである。前述の可能な実装において、２４０ＭＨｚの帯域幅を使用することによってＰＰＤＵが送信されるとき、２４０ＭＨｚの帯域幅が使用されるときのＰＰＤＵのＰＡＰＲは、前述のローテーション因子を使用することによって最小化されることが可能である。
【００１４】
第１の態様の可能な実装において、Ｘ＝２８０であり、ローテーション因子列は、以下の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のいずれか１つである。前述の可能な実装において、２８０ＭＨｚの帯域幅を使用することによってＰＰＤＵが送信されるとき、２８０ＭＨｚの帯域幅が使用されるときのＰＰＤＵのＰＡＰＲは、前述のローテーション因子を使用することによって最小化されることが可能である。
【００１５】
第１の態様の可能な実装において、Ｘ＝３２０であり、ローテーション因子列は、以下の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のいずれか１つである。前述の可能な実装において、３２０ＭＨｚの帯域幅を使用することによってＰＰＤＵが送信されるとき、３２０ＭＨｚの帯域幅が使用されるときのＰＰＤＵのＰＡＰＲは、前述のローテーション因子を使用することによって最小化されることが可能である。
【００１６】
第１の態様の可能な実装において、Ｘ＝２００、Ｙ＝２０、ｎ＝１０であり、ローテーション因子列は、本明細書の表１−３に示されるローテーション因子列のいずれか１つである。前述の可能な実装において、８０ＭＨｚの帯域幅に対応するローテーション因子が使用されないとき、２００ＭＨｚの帯域幅が使用されるときのＰＰＤＵのＰＡＰＲは、本明細書の表１−３に示されるローテーション因子を使用することによって最小化されることが可能である。
【００１７】
第１の態様の可能な実装において、Ｘ＝２４０、Ｙ＝２０、ｎ＝１２であり、ローテーション因子列は本明細書の表２−３に示されるローテーション因子列のいずれか１つである。前述の可能な実装において、８０ＭＨｚの帯域幅に対応するローテーション因子が使用されないとき、２４０ＭＨｚの帯域幅が使用されるときのＰＰＤＵのＰＡＰＲは、本明細書の表２−３に示されるローテーション因子を使用することによって最小化されることが可能である。
【００１８】
第２の態様によれば、情報送信装置が提供され、ここで、この装置は、Ｘ  ＭＨｚの帯域幅を有する物理レイヤプロトコルデータユニットＰＰＤＵを生成することであって、ここで、Ｘ＞１６０であり、ＰＰＤＵ内のいくつか又は全てのフィールドが、ローテーション因子列を使用することによってＸ  ＭＨｚの帯域幅内でローテーションされ、Ｘ  ＭＨｚの帯域幅が、Ｙ  ＭＨｚのｎ個の帯域幅を含み、ローテーション因子列がｎ個のローテーション因子を含み、Ｙ  ＭＨｚの各帯域幅が１個のローテーション因子に対応している、ことを行うように構成された生成ユニットと、Ｘ  ＭＨｚの帯域幅を有するＰＰＤＵを送るように構成された送信ユニットとを含む。
【００１９】
第２の態様の可能な実装において、この装置は、ＰＰＤＵを送信するためにＸ  ＭＨｚの帯域幅を選択することであって、ここで、Ｘ  ＭＨｚが、２００ＭＨｚ、２４０ＭＨｚ、２８０ＭＨｚ、及び３２０ＭＨｚのいずれか１つである、ことを行うように構成された選択ユニットをさらに含む。
【００２０】
第２の態様の可能な実装において、レガシーショートトレーニングフィールド（Ｌ−ＳＴＦ）、レガシーロングトレーニングフィールド（Ｌ−ＬＴＦ）、及びレガシーシグナルフィールド（Ｌ−ＳＩＧ）は、Ｙ  ＭＨｚのｎ個の帯域幅内で複製され、Ｌ−ＳＴＦ、Ｌ−ＬＴＦ、及びＬ−ＳＩＧは、ローテーション因子列を使用することによってローテーションされる。
【００２１】
第２の態様の可能な実装において、Ｙ  ＭＨｚのｎ個の帯域幅のうちの少なくとも１つの中のフィールドがローテーションされる。
【００２２】
第１の態様の可能な実装において、Ｙ＝２０であり、ローテーション因子列内の第１の４個のローテーション因子は［１  −１  −１  −１］である。
【００２３】
第２の態様の可能な実装において、Ｘ＝２００であり、ローテーション因子列は［１  −１  −１  −１  −１  −ｊ  ｊ  −ｊ  −１  １］である。
【００２４】
第２の態様の可能な実装において、Ｘ＝２４０であり、ローテーション因子列は以下の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである。
【００２５】
第２の態様の可能な実装において、Ｘ＝２８０であり、ローテーション因子列は、以下の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のいずれか１つである。
【００２６】
第２の態様の可能な実装において、Ｘ＝３２０であり、ローテーション因子列は、以下の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のいずれか１つである。
【００２７】
第２の態様の可能な実装において、Ｘ＝２００、Ｙ＝２０、ｎ＝１０であり、ローテーション因子列は、本明細書の表１−３に示されるローテーション因子列のいずれか１つである。
【００２８】
第２の態様の可能な実装において、Ｘ＝２４０、Ｙ＝２０、ｎ＝１２であり、ローテーション因子列は本明細書の表２−３に示されるローテーション因子列のいずれか１つである。
【００２９】
第３の態様によれば、情報送信装置が提供される。情報送信装置は、プロセッサと、メモリと、通信インターフェースと、バスとを含み、プロセッサ、メモリ、及び通信インターフェースは、バスを使用することによって接続される。メモリは、プログラムコードを記憶するように構成され、通信インターフェースは、通信を実行する際に情報送信装置をサポートするように構成される。プログラムコードはプロセッサによって実行され、情報送信装置は、第１の態様及び第１の態様の可能な実装のいずれか１つにおいて提供される情報送信方法におけるステップを実行することが可能にされる。
【００３０】
第４の態様によれば、コンピュータ可読記録媒体が提供される。コンピュータ可読記録媒体は命令を記憶する。命令がコンピュータ上で実行されるとき、コンピュータは、第１の態様又は第１の態様の可能な実装のいずれか１つにおいて提供される情報送信方法を実行することが可能にされる。
【００３１】
第５の態様によれば、命令を含むコンピュータプログラム製品が提供される。コンピュータプログラム製品がコンピュータ上で実行されるとき、コンピュータは、第１の態様又は第１の態様の可能な実装のいずれか１つにおいて提供される情報送信方法を実行することが可能にされる。
【００３２】
上記で提供された、情報送信装置、コンピュータ記録媒体、又はコンピュータプログラム製品のいずれか１つは、上記で提供された対応する方法を実行するように構成されることを理解されることが可能である。従って、装置、コンピュータ記録媒体、又はコンピュータプログラム製品によって達成されることが可能な有益な取り組みについては、上記で提供された対応する方法における有益な取り組みを参照する。本明細書において詳細は再度説明されない。
【図面の簡単な説明】
【００３３】
【図１】本出願の実施形態による、通信システムの概略構造図である。
【図２】本出願の実施形態による、ＰＰＤＵのフレーム構造の概略図である。
【図３】本出願の実施形態による、別のＰＰＤＵのフレーム構造の概略図である。
【図４】本出願の実施形態による、情報送信方法の概略的流れ図である。
【図５】本出願の実施形態による、２００ＭＨｚ  ＰＰＤＵの概略図である。
【図６】本出願の実施形態による、別の２００ＭＨｚ  ＰＰＤＵの概略図である。
【図７】本出願の実施形態による、８０ＭＨｚ上の情報送信の概略図である。
【図８】本出願の実施形態による、別の情報送信方法の概略的流れ図である。
【図９】本出願の実施形態による、情報送信装置の概略構造図である。
【図１０】本出願の実施形態による、別の情報送信装置の概略構造図である。
【図１１】本出願の実施形態による、さらに別の情報送信装置の概略構造図である。
【発明を実施するための形態】
【００３４】
以下は、本出願の実施形態における添付の図面を参照しながら、本出願の実施形態における技術的解決策を説明する。
【００３５】
本出願の実施形態は、モバイル通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ）システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）システム、ワールドワイドインターオペラビリティフォーマクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、及び将来の５Ｇ通信システムなど、様々な通信システムに適用され得ることを理解されたい。
【００３６】
本出願の実施形態は、非直交多元接続技術、例えば、スパース符号多次元接続（ｓｐａｒｓｅ  ｃｏｄｅ  ｍｕｌｔｉｐｌｅｘ  ａｃｃｅｓｓ、ＳＣＭＡ）システムに基づく様々な通信システムにさらに提供され得ることも理解されたい。当然、ＳＣＭＡは、通信分野において別の名称を有することもある。さらに、本出願の実施形態における技術的解決策は、非直交多元接続技術を使用するマルチキャリア送信システム、例えば、非直交多元接続技術：直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）、フィルタバンクマルチキャリア（ｆｉｌｔｅｒ  ｂａｎｋ  ｍｕｌｔｉ−ｃａｒｒｉｅｒ、ＦＢＭＣ）、一般化周波数分割多重（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ、ＧＦＤＭ）、及びフィルタリングされた直交周波数分割多重（ｆｉｌｔｅｒｅｄ−ＯＦＤＭ、Ｆ−ＯＦＤＭ）を使用したシステムに適用され得る。
【００３７】
本出願の実施形態は、ＬＴＥシステム、及び、５Ｇシステム、又は様々な無線アクセス技術を使用した他の無線通信システム、例えば、符号分割多元接続、周波数分割多元接続、時分割多元接続、直交周波数分割多元接続、及びシングルキャリア周波数分割多元接続などのアクセス技術を使用するシステムなど、後続の発展型システムに適用されてもよく、例えば、マッシブＭＩＭＯ技術を使用した無線ネットワーク又は分散型アンテナ技術を使用した無線ネットワークにおいて、チャネル情報フィードバックが必要とされる及び／又は２レベルプリコーディングシステムが適用されるシナリオに特に適用可能であることも理解されたい。
【００３８】
本出願の実施形態は、Ｗｉ−Ｆｉ無線通信に適用され得ることも理解されたい。Ｗｉ−Ｆｉ無線通信システムは、アクセスポイント（ａｃｃｅｓｓ  ｐｏｉｎｔ、ＡＰ）とステーション（ｓｔａｔｉｏｎ、ＳＴＡ）とを含む。ステーションは、サイトと呼ばれることもある。関係する無線通信シナリオは、ＡＰとＳＴＡとの間の通信、ＡＰ同士の間の通信、ＳＴＡ同士の間の通信などを含み得る。本出願の実施形態において、ＡＰとＳＴＡとの間の通信が説明のための一例として使用される。図１に示されるように、ＡＰは、ＳＴＡ１及びＳＴＡ２との無線通信を実行する。本出願の実施形態において説明される方法は、ＡＰ同士の間の通信、ＳＴＡ同士の間の通信などにも適用可能であることを理解されたい。
【００３９】
本出願の実施形態におけるＡＰ及びＳＴＡの各々の構造は、メディアアクセス制御（ｍｅｄｉａ  ａｃｃｅｓｓ  ｃｏｎｔｒｏｌ、ＭＡＣ）レイヤ及び物理（ｐｈｙｓｉｃａｌ、ＰＨＹ）レイヤを含み得る。ＡＰ及びＳＴＡは、物理レイヤプロトコルデータユニット（ＰＨＹ  Ｐｒｏｔｏｃｏｌ  Ｄａｔａ  Ｕｎｉｔ、ＰＰＤＵ）を使用することによって情報送信を実行し得る。加えて、ＰＰＤＵのフレーム構造は、ＡＰ及びＳＴＡによって使用される無線通信プロトコルによって異なる。
【００４０】
例えば、ＡＰ及びＳＴＡによって使用される無線通信プロトコルが８０２．１１ｎであるとき、ＰＰＤＵのフレーム構造が図２に示される。ＰＰＤＵのフレーム構造は、レガシーショートトレーニングフィールド（ｌｅｇａｃｙ  ｓｈｏｒｔ  ｔｒａｎｉｎｉｎｇ  ｆｉｅｌｄ、Ｌ−ＳＴＦ）、レガシーロングトレーニングフィールド（ｌｅｇａｃｙ  ｌｏｎｇ  ｔｒａｉｎｉｎｇ  ｆｉｅｌｄ、Ｌ−ＬＴＦ）、レガシーシグナルフィールド（ｌｅｇａｃｙ  ｓｉｇｎａｌ  ｆｉｅｌｄ、Ｌ−ＳＩＧ）、高スループットシグナリングフィールド（ｈｉｇｈ  ｔｈｒｏｕｇｈｐｕｔ  ｓｉｇｎａｉｎｇ  ｆｉｅｌｄ、ＨＴ−ＳＩＧ）、高スループットショートトレーニングフィールド（ｈｉｇｈ  ｔｈｒｏｕｇｈｐｕｔ  ｓｈｏｒｔ  ｔｒａｉｎｉｎｇ  ｆｉｅｌｄ、ＨＴ−ＳＴＦ）、高スループットロングトレーニングフィールド（ｈｉｇｈ  ｔｈｒｏｕｇｈｐｕｔ  ｌｏｎｇ  ｔｒａｉｎｉｎｇ  ｆｉｅｌｄ、ＨＴ−ＬＴＦ）、及びデータフィールド（ｄａｔａ  ｆｉｅｌｄ）を含む。前述のフィールド内のＬ−ＳＴＦ、Ｌ−ＬＴＦ、及びＬ−ＳＩＧは、レガシープリアンブルと呼ばれることがあることに留意されたい。
【００４１】
ＡＰ及びＳＴＡによって使用される無線通信プロトコルが８０２．１１ａｃであるとき、ＰＰＤＵのフレーム構造が図３に示される。ＰＰＤＵのフレーム構造は、Ｌ−ＳＴＦ、Ｌ−ＬＴＦ、Ｌ−ＳＩＧ、超高スループットフィールドＡ（ｖｅｒｙ  ｈｉｇｈ  ｔｈｒｏｕｇｈｐｕｔ  ｓｉｇｎａｌｉｎｇ  ｆｉｅｌｄ  Ａ、ＶＨＴ−ＳＩＧ−Ａ）、超高スループットショートトレーニングフィールド（ｖｅｒｙ  ｈｉｇｈ  ｔｈｒｏｕｇｈｐｕｔ  ｓｈｏｒｔ  ｔｒａｉｎｉｎｇ  ｆｉｅｌｄ、ＶＨＴ−ＳＴＦ）、超高スループットロングトレーニングフィールド（ｖｅｒｙ  ｈｉｇｈ  ｔｈｒｏｕｇｈｐｕｔ  ｌｏｎｇ  ｔｒａｉｎｉｎｇ  ｆｉｅｌｄ、ＶＨＴ−ＬＴＦ）、超高スループットフィールドＢ（ｖｅｒｙ  ｈｉｇｈ  ｔｈｒｏｕｇｈｐｕｔ  ｓｉｇｎａｌｉｎｇ  ｆｉｅｌｄ  Ｂ、ＶＨＴ−ＳＩＧ−Ｂ）、及びデータフィールドを含む。
【００４２】
前述は、説明の一例として、８０２．１１ｎ及び８０２．１１ａｃのＰＰＤＵのフレーム構造のみを使用することに留意されたい。本出願の実施形態におけるＰＰＤＵは、主に超高帯域幅を有する次世代Ｗｉ−Ｆｉ  ＰＰＤＵであり、ＰＰＤＵの前述のフレーム構造は、本出願の実施形態に対する限定を構成しない。
【００４３】
図４は、本出願の実施形態による、情報送信方法の概略的流れ図である。図４を参照すると、この方法は、以下のいくつかのステップを含む。
【００４４】
ステップ４０１：無線通信デバイスは、Ｘ  ＭＨｚの帯域幅を有する物理レイヤプロトコルデータユニットＰＰＤＵを生成し、ここで、Ｘ＞１６０であり、ＰＰＤＵ内のいくつか又は全てのフィールドは、ローテーション因子列を使用することによってＸ  ＭＨｚの帯域幅内でローテーションされ、ローテーション因子列はｎ個のローテーション因子を含み、Ｘ  ＭＨｚの帯域幅は、Ｙ  ＭＨｚのｎ個の帯域幅を含み、Ｙ  ＭＨｚの各帯域幅は、１つのローテーション因子に対応している。
【００４５】
無線通信デバイスは、ＡＰ又はＳＴＡであってよい。無線通信デバイスがＡＰであるとき、ＡＰは、Ｘ  ＭＨｚの帯域幅を有するＰＰＤＵを使用することによって、別のＡＰ又はＳＴＡと情報送信を実行し得る。無線通信デバイスがＳＴＡであるとき、ＳＴＡは、Ｘ  ＭＨｚの帯域幅を有するＰＰＤＵを使用することによってＡＰ又は別のＳＴＡと情報送信を実行し得る。
【００４６】
本出願のこの実施形態において、Ｙ  ＭＨｚの帯域幅上で搬送されるフィールドが非１ローテーション因子によって乗算される場合、この事例は、Ｙ  ＭＨｚの帯域幅内のフィールドがローテーションされるとして定義される。
【００４７】
加えて、Ｘ  ＭＨｚの帯域幅は、１６０ＭＨｚを超える。例えば、Ｘ  ＭＨｚは、１８０ＭＨｚ、２００ＭＨｚ、２４０ＭＨｚ、２８０ＭＨｚ、３００ＭＨｚ、３２０ＭＨｚなどであってよい。これは、本出願のこの実施形態において特に限定されない。Ｙ  ＭＨｚは、２０ＭＨｚ、１０ＭＨｚ、５ＭＨｚ、２ＭＨｚなどであってよい。これは、本出願のこの実施形態において特に限定されない。ローテーション因子列内に含められるｎ個のローテーション因子の各々の値は、１、−１、ｊ、又は−ｊであってよく、ここで、ローテーション因子１に対応するローテーション角度は０度であり、ローテーション因子−１に対応するローテーション角度は１８０度であり、ローテーション因子ｊに対応するローテーション角度は９０度であり、ローテーション因子−ｊに対応するローテーション角度は−９０度である。
【００４８】
加えて、ＰＰＤＵは、複数のフィールドを含み得る。例えば、ＰＰＤＵは、図２又は図３に示されるフィールドを含み得る。ＰＰＤＵ内のいくつか又は全てのフィールドがローテーション因子列を使用することによってＸ  ＭＨｚの帯域幅内でローテーションされることは：ＰＰＤＵ内のいくつかのフィールドが、ローテーション因子列を使用することによってＸ  ＭＨｚの帯域幅内でローテーションされること、ＰＰＤＵ内の他のフィールドが、ローテーション因子列を使用することによってＸ  ＭＨｚの帯域幅内でローテーションされないこと；又はＰＰＤＵ内の全てのフィールドが、ローテーション因子列を使用することによってＸ  ＭＨｚの帯域幅内でローテーションされること、を含み得る。
【００４９】
代替として、ＰＰＤＵ内のいくつか又は全てのフィールドが、ローテーション因子列を使用することによってＸ  ＭＨｚの帯域幅内でローテーションされることは、ＰＰＤＵ内のいくつか又は全てのフィールドの各々が、ローテーション因子列を使用することによってＸ  ＭＨｚの帯域幅内でローテーションされること、即ち、ＰＰＤＵ内のいくつかのフィールド内の各フィールドが、ローテーション因子列を使用することによってＹ  ＭＨｚのｎ個の帯域幅内でローテーションされること、又はＰＰＤＵ内の各フィールドが、ローテーション因子列を使用することによってＹ  ＭＨｚのｎ個の帯域幅内でローテーションされること、と理解され得る。
【００５０】
Ｘ−ＭＨｚ  ＰＰＤＵは、時間ドメイン内に複数のフィールドを含み、周波数ドメイン内にＹ  ＭＨｚのｎ個の帯域幅を含む。時間ドメイン内の各フィールドは、周波数ドメイン内のＹ  ＭＨｚのｎ個の帯域幅に対応している。各フィールドに対応するＹ  ＭＨｚのｎ個の帯域幅に対して、Ｙ  ＭＨｚのｎ個の帯域幅の各々は、フィールドを搬送し得る（即ち、フィールドに対応するＹ  ＭＨｚのｎ個の帯域幅は完全に占有される）、又はフィールドを搬送しないＹ  ＭＨｚのブランク帯域幅は、Ｙ  ＭＨｚのｎ個の帯域幅内に存在し得るが、他のフィールドは、Ｙ  ＭＨｚのブランク帯域幅を占有しない。
【００５１】
加えて、Ｙ  ＭＨｚのブランク帯域幅がＰＰＤＵ内のフィールドに対応するＹ  ＭＨｚのｎ個の帯域幅内に存在するとき、そのフィールドがローテーション因子列を使用することによってローテーションされるとき、Ｙ  ＭＨｚのブランク帯域幅に対応するローテーション因子は使用されない。
【００５２】
図２に示されるＰＰＤＵのフレーム構造を一例として使用して、ＰＰＤＵ内のＬ−ＳＴＦ、Ｌ−ＬＴＦ、Ｌ−ＳＩＧ、及びＨＴ−ＳＩＧフィールドの各々は、ローテーション因子列を使用することによってＹ  ＭＨｚのｎ個の帯域幅内でローテーションされてもよく、ＨＴ−ＳＴＦ、ＨＴ−ＬＴＦ、及びデータフィールドの各々は、ローテーション因子列を使用することによってＹ  ＭＨｚのｎ個の帯域幅内でローテーションされ得ない。代替として、図２に示される全てのフィールド（即ち、Ｌ−ＳＴＦ、Ｌ−ＬＴＦ、Ｌ−ＳＩＧ、ＨＴ−ＳＩＧ、ＨＴ−ＳＴＦ、ＨＴ−ＬＴＦ、及びデータフィールド）は、ローテーション因子列を使用することによってＹ  ＭＨｚのｎ個の帯域幅内でローテーションされる。
【００５３】
加えて、Ｙ  ＭＨｚのｎ個の帯域幅上のＰＰＤＵ内のいくつかのフィールドの送信モードは、複製送信であり得るし、いくつかのフィールドは、Ｌ−ＳＴＦ、Ｌ−ＬＴＦ、及びＬ−ＳＩＧを含み得る。Ｌ−ＳＴＦ、Ｌ−ＬＴＦ、及びＬ−ＳＩＧの各々は、ローテーション因子列を使用することによってローテーションされてもよく、即ち、ＰＰＤＵ内のレガシープリアンブルは、複製されローテーションされた後で、Ｙ  ＭＨｚのｎ個の帯域幅上で送信され得る。Ｙ  ＭＨｚの全ての帯域幅内上のレガシープリアンブルの列は同じであるが、レガシープリアンブルのこれらの列は、Ｙ  ＭＨｚの異なる帯域幅上で特定の角度でローテーションされる。レガシープリアンブル以外のＰＰＤＵ内のフィールドは、非複製モード又は複製モードで送信されてもよく、即ち、Ｙ  ＭＨｚの全ての帯域幅上のレガシープリアンブル以外のフィールドの内容は、異なってよく又は同じであってもよい。
【００５４】
理解を容易にするために、本明細書において、図２に示されるＰＰＤＵのフレーム構造は、Ｘ  ＭＨｚの帯域幅を有するＰＰＤＵ内にある、複製モードで送信されるフィールド及び非複製モードで送信されるフィールドを説明するための一例として使用される。Ｘ＝２００、Ｙ＝２０、ＰＰＤＵ内のＬ−ＳＴＦ、Ｌ−ＬＴＦ、Ｌ−ＳＩＧ、及びＨＴ−ＳＩＧフィールドの送信モードが複製送信であり、ＰＰＤＵ内のＨＴ−ＳＴＦ、ＨＴ−ＬＴＦ、及びデータフィールドの送信モードが非複製送信であると仮定され、２００ＭＨｚの帯域幅を有するＰＰＤＵが図５に示され得る。
【００５５】
８０２．１１ｎ  ＰＰＤＵの最大帯域幅は４０ＭＨｚであり、図５に示されるＰＰＤＵの構造は、８０２．１１ｎ  ＰＰＤＵの構造に基づいて提供される超高帯域幅を有するＰＰＤＵである。本出願は、超高帯域幅を有する次世代Ｗｉ−Ｆｉ  ＰＰＤＵ（８０２．１１ａｘの次世代）の構造に基づく。ＰＰＤＵ内に含まれるフィールドは未知であるため、超高帯域幅を有するＰＰＤＵの構造が図６に示される。ＰＰＤＵの構造は、レガシープリアンブル、繰り返されたレガシーシグナルフィールド（ｒｅｐｅａｔｅｄ  ｌｅｇａｃｙ−ｓｉｇｎａｌ  ｆｉｅｌｄ、ＲＬ−ＳＩＧ）、シグナリングフィールド１（ｓｉｇｎａｌｉｎｇ  ｆｉｅｌｄ  １、ＳＩＧ１）、シグナリングフィールド２（ｓｉｇｎａｌｉｎｇ  ｆｉｅｌｄ  ２、ＳＩＧ２）、ニューショートトレーニングフィールド（Ｎｅｗ  ｓｈｏｒｔ  ｔｒａｉｎｉｎｇ  ｆｉｅｌｄ、ＮＥＷ−ＳＴＦ）、ニューロングトレーニングフィールド（ｎｅｗ  ｌｏｎｇ  ｔｒａｉｎｉｎｇ  ｆｉｅｌｄ、ＮＥＷ−ＬＴＦ）、及びデータフィールド（ｄａｔａ）を含む。ＰＰＤＵは、ＯＦＤＭＡ  ＰＰＤＵであってよく、又は非ＯＦＤＭＡ  ＰＰＤＵであってもよい。次世代ＰＰＤＵ内に含まれるフィールドは、本出願の実装に対する限定を構成しないことに留意されたい。
【００５６】
具体的には、無線通信デバイスがＸ  ＭＨｚの帯域幅を有するＰＰＤＵを生成するとき、ＰＰＤＵ内のいくつか又は全てのフィールドに対して、Ｘ  ＭＨｚの帯域幅内に含まれたＹ  ＭＨｚのｎ個の帯域幅の各々の上で搬送されるいくつか又は全てのフィールドに対応する周波数ドメイン信号は、Ｙ  ＭＨｚの帯域幅に対応するローテーション因子によって乗算されてよく、即ち、いくつか又は全てのフィールドに対応する周波数ドメイン信号とローテーション因子列の積が取得され、次いで、いくつか又は全てのフィールドに対応する時間ドメイン信号を取得するために、その積に対して逆高速フーリエ変換（ｉｎｖｅｒｓｅ  ｆａｓｔ  ｆｏｕｒｉｅｒ  ｔｒａｎｓｆｏｒｍ、ＩＦＦＴ）が実行される。
【００５７】
例えば、いくつか又は全てのフィールドに対応する周波数ドメイン信号は［Ｙ１，Ｙ２，．．．，Ｙｎ］であり、ｎ個のローテーション因子は［Ｋ１，Ｋ２，．．．，Ｋｎ］であり、ここで、Ｙ１からＹｎは、Ｙ  ＭＨｚのｎ個の帯域幅に対応する周波数ドメイン信号をそれぞれ表し、Ｋ１からＫｎは、Ｙ  ＭＨｚのｎ個の帯域幅に対応するローテーション因子をそれぞれ表すと仮定される。この場合、いくつか又は全てのフィールドに対応する周波数ドメイン信号とローテーション因子列の積は、［Ｙ１*Ｋ１，Ｙ２*Ｋ２，．．．，Ｙｎ*Ｋｎ］として表され得るし、いくつか又は全てのフィールドに対応する時間ドメイン信号は、ＩＦＦＴ［Ｙ１*Ｋ１，Ｙ２*Ｋ２，．．．，Ｙｎ*Ｋｎ］として表され得る。
【００５８】
対応して、いくつか又は全てのフィールドに対応する時間ドメイン信号に基づく、いくつか又は全てのフィールドのピーク対平均電力比（ｐｅａｋ  ｔｏ  ａｖｅｒａｇｅ  ｐｏｗｅｒ  ｒａｔｉｏ、ＰＡＰＲ）の計算の間、アナログ領域信号を取得するために、いくつか又は全てのフィールドに対応する時間ドメイン信号に対してオーバーサンプリングが実行され得る。例えば、５回のオーバーサンプリングが実行される。オーバーサンプリングによって取得される時間ドメイン信号がＳiであると仮定すると、ＰＡＰＲは、以下の式（１）に従って計算され得る。式において、ｍａｘは、最大値を解く動作を表し、ｍｅａｎは、平均化動作を表す。
【００５９】
【数１】
2021517431.tif 000003
【００６０】
さらに、Ｘ  ＭＨｚの帯域幅を有するＰＰＤＵは、複数のフィールドを含み、Ｙ  ＭＨｚのｎ個の帯域幅を含むＸ−ＭＨｚチャネル上で送信される。Ｙ  ＭＨｚのｎ個の帯域幅上で搬送されるＰＰＤＵ内の少なくともいくつかのフィールドは、１対１対応で周波数ドメイン内のベクトル内でｎ個のローテーション因子によって乗算され、ここで、ＰＰＤＵの、Ｙ  ＭＨｚの各帯域幅上で搬送される、少なくともいくつかのフィールドは、ローテーション因子ベクトルの同じ係数によって乗算され、即ち、Ｙ  ＭＨｚの帯域幅内に含まれた全てのサブキャリア上で搬送されるデータは、同じ係数によって乗算される。このようにして、ＰＰＤＵ内の少なくともいくつかのフィールドのＰＡＰＲが低減される。コンピュータシミュレーションを通して、任意の複素数から選択されたローテーション因子によってフィールドを乗算することによって取得されるＰＡＲＲと、固定セットから選択されたローテーション因子によってフィールドを乗算することによって取得されるＰＡＰＲとの間には非常に小さい差異が存在することが学習される。実装を簡素化し、積実装複雑性を低減するために、本出願において選択されるローテーション因子が属する固定セットは、［１，−１，ｊ，−ｊ］である。
【００６１】
さらに、Ｙ  ＭＨｚの各帯域幅は、複数のサブキャリアを含み得る。例えば、Ｙ＝２０であるとき、２０ＭＨｚの各帯域幅は、６４個のサブキャリア、１２８個のサブキャリア、２５６個のサブキャリア、又は５１２個のサブキャリアを含み得る。無線通信デバイスがＸ  ＭＨｚの帯域幅を有するＰＰＤＵを生成するとき、Ｘ  ＭＨｚの帯域幅を有する２個の側波帯部分におけるサブキャリアの中間サブキャリアは、何の信号も搬送し得ない。このようにして、隣接帯域干渉及び直流干渉が回避されることが可能である。低帯域幅を有するＰＰＤＵに適合させるために、レガシープリアンブルを搬送する２０ＭＨｚの各帯域幅は、代替として、側波帯サブキャリアを含んでよく、何の信号も搬送しない。
【００６２】
図７に示されるように、８０ＭＨｚの帯域幅が２０ＭＨｚの４個の帯域幅を含み、２０ＭＨｚの各帯域幅が６４個のサブキャリアを含む一例が本明細書において使用される。８０ＭＨｚの帯域幅内に含まれるサブキャリアの列番号は、−１２８から１２７として表され得る。図７において、そのサブキャリア列番号が−１２８から−１２３及び１２３から１２７であるサブキャリアは、側波帯部分におけるサブキャリアであり、そのサブキャリア列番号が−１から１である３個のサブキャリアは、中間サブキャリアである。この場合、そのサブキャリア列番号が−１２８から−１２３、１２３から１２７、及び−１から１であるサブキャリア上では何の信号も搬送され得ない。２０ＭＨｚの帯域幅上の側波帯サブキャリアの列番号は、−３２から−２７及び２７から３１である。本出願のこの実装形態において、８０ＭＨｚの帯域幅のみが説明のための一例として使用されることに留意されたい。１６０ＭＨｚを超えるＸ  ＭＨｚの帯域幅も８０ＭＨｚの帯域幅に対して前述の方法に従って設定され得る。これは、本出願のこの実施形態において再度説明されない。
【００６３】
ステップ４０２：無線通信デバイスは、Ｘ  ＭＨｚの帯域幅を有するＰＰＤＵを送る。
【００６４】
Ｘ  ＭＨｚの帯域幅を有するＰＰＤＵを生成した後、無線通信デバイスは、Ｘ  ＭＨｚの帯域幅を有するＰＰＤＵを別の無線通信デバイスに送ることができる。対応して、受信側の無線通信デバイスは、ローテーションの前にＰＰＤＵを取得するために、Ｘ  ＭＨｚの帯域幅を有する、受信されたＰＰＤＵ上で、対応するローテーションリカバリを実行し得る。代替として、ローテーション因子は、チャネルの一部分として直接的に使用され、ローテーション因子は、チャネル推定及びチャネル等化によって除去される。
【００６５】
具体的には、Ｙ  ＭＨｚの各帯域幅に対して、受信側の無線通信デバイスは、代替として、フィールドをローテーション因子で乗算することによって、Ｙ  ＭＨｚの帯域幅内のフィールド上でローテーションリカバリを実行し得る。例えば、Ｙ  ＭＨｚの帯域幅に対応し、送信側で使用されるローテーション因子が１であるとき、対応するローテーションリカバリが受信側で実行されるときに使用されるローテーション因子は、１であり得るか、又は受信側は、ローテーション因子１に対応するＹ  ＭＨｚの帯域幅内のフィールド上でローテーションリカバリを実行しない。Ｙ  ＭＨｚの帯域幅に対応し、送信側で使用されるローテーション因子が−１であるとき、対応するローテーションリカバリが受信側で実行されるときに使用されるローテーション因子は、−１であり得る。Ｙ  ＭＨｚの帯域幅に対応し、送信側で使用されるローテーション因子が−ｊであるとき、対応するローテーションリカバリが受信側で実行されるときに使用されるローテーション因子は、ｊであり得る。Ｙ  ＭＨｚの帯域幅に対応し、送信側で使用されるローテーション因子がｊであるとき、対応するローテーションリカバリが受信側で実行されるときに使用されるローテーション因子は、−ｊであり得る。
【００６６】
さらに、図８を参照すると、ステップ４０１の前に、この方法は、ステップ４００をさらに含む。
【００６７】
ステップ４００：無線通信デバイスは、ＰＰＤＵを送信するためにＸ  ＭＨｚの帯域幅を選択し、ここで、Ｘ  ＭＨｚは、以下のもの、即ち、２００ＭＨｚ、２４０ＭＨｚ、２８０ＭＨｚ、及び３２０ＭＨｚいずれか１つである。
【００６８】
具体的には、無線通信デバイスは、ＰＰＤＵを送信するためにＸ  ＭＨｚの帯域幅を複数の帯域幅から選択してよく、ここで、複数の帯域幅は、２００ＭＨｚ、２４０ＭＨｚ、２８０ＭＨｚ、及び３２０ＭＨｚを含んでよく、Ｘ  ＭＨｚの選択された帯域幅は、２０ＭＨｚ、２４０ＭＨｚ、２８０ＭＨｚ、及び３２０ＭＨｚのいずれか１つであり得る。
【００６９】
本出願のこの実施形態において、Ｘ  ＭＨｚが２００ＭＨｚ、２４０ＭＨｚ、２８０ＭＨｚ、又は３２０ＭＨｚであり、Ｙ＝２０であるとき、ローテーション因子列は、８０ＭＨｚの現在の帯域幅に対応するローテーション因子を含んでよく、又は８０ＭＨｚの現在の帯域幅に対応するローテーション因子を含まなくてもよい。ローテーション因子列が８０ＭＨｚの現在の帯域幅に対応するローテーション因子を含むとき、ローテーション因子列内の第１の４個のローテーション因子は、８０ＭＨｚの現在の帯域幅に対応するローテーション因子であり、即ち、ローテーション因子列内の第１の４個のローテーション因子は、［１  −１  −１  −１］である。以下は、Ｘ  ＭＨｚの帯域幅が２００ＭＨｚ、２４０ＭＨｚ、２８０ＭＨｚ、及び３２０ＭＨｚであるときに使用されるローテーション因子列をそれぞれ詳細に説明するために、（Ｉ）から（ＩＶ）を使用する。
【００７０】
以下の表において示されるローテーション因子列において、ローテーション因子１に対応するローテーション角度は、０度であり、ローテーション因子−１に対応するローテーション角度は、１８０度であり、ローテーション因子ｊに対応するローテーション角度は、９０度であり、ローテーション因子−ｊに対応するローテーション角度は、−９０度であることに留意されたい。本出願のこの実施形態において、２００ＭＨｚのみが一例として使用される。２００ＭＨｚに対応するローテーション因子列に対応するローテーション角度列が列挙される。具体的には、２００ＭＨｚに対応するローテーション因子列内の各ローテーション因子は、対応するローテーション角度列を取得するために、対応するローテーション角度に変換される。
【００７１】
（Ｉ）Ｘ＝２００であるとき、ｎ＝１０、即ち、ローテーション因子列の長さは、１０である。
【００７２】
ローテーション因子列が、８０ＭＨｚの現在の帯域幅に対応するローテーション因子を含む場合、２００ＭＨｚの帯域幅に対応するローテーション因子列は、８０ＭＨｚの現在の帯域幅に対応する４個のローテーション因子から開始する。ローテーション因子列は以下の表１−１に具体的に示されており、ローテーション因子列に対応するローテーション角度列は、［０  １８０  １８０  １８０  １８０  −９０  ９０  −９０  １８０  ０］である。
【００７３】
【表１】
2021517431.tif 000004
【００７４】
表１−１に示されるローテーション因子列が使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表１−２に示され得る。
【００７５】
【表２】
2021517431.tif 000005
【００７６】
ローテーション因子列が８０ＭＨｚの現在の帯域幅に対応するローテーション因子を含まない場合、２００ＭＨｚの帯域幅に対応するローテーション因子列は、以下の表１−３に示されるローテーション因子列のいずれか１つであり得る。
【００７７】
【表３】
2021517431.tif 000006
【００７８】
表１−３に示されるローテーション因子列内の各ローテーション因子が対応するローテーション角度に変換されるとき、取得されるローテーション角度列は、以下の表１−４に具体的に示される。
【００７９】
【表４】
2021517431.tif 000007
【００８０】
表１−３に示されるローテーション因子列のいずれか１つが使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表１−５に示され得る。
【００８１】
【表５】
2021517431.tif 000008
【００８２】
（ＩＩ）Ｘ＝２４０であるとき、ｎ＝１２、即ち、ローテーション因子列の長さは、１２である。
【００８３】
ローテーション因子列が８０ＭＨｚの現在の帯域幅に対応するローテーション因子を含む場合、２４０ＭＨｚの帯域幅に対応するローテーション因子列は、８０ＭＨｚの現在の帯域幅に対応する４個のローテーション因子から開始する。ローテーション因子列は、以下の表２−１に具体的に示される。
【００８４】
【表６】
2021517431.tif 000009
【００８５】
表２−１に示されるローテーション因子列のいずれか１つが使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表２−２に示され得る。
【００８６】
【表７】
2021517431.tif 000010
【００８７】
ローテーション因子列が、８０ＭＨｚの現在の帯域幅に対応するローテーション因子を含まない場合、２４０ＭＨｚの帯域幅に対応するローテーション因子列は、以下の表２−３に示されるローテーション因子列のいずれか１つであり得る。
【００８８】
【表８−１】
2021517431.tif 000011
【００８９】
【表８−２】
2021517431.tif 000012
【００９０】
【表８−３】
2021517431.tif 000013
【００９１】
【表８−４】
2021517431.tif 000014
【００９２】
【表８−５】
2021517431.tif 000015
【００９３】
表２−３に示されるローテーション因子列のいずれか１つが使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表２−４に示され得る。
【００９４】
【表９】
2021517431.tif 000016
【００９５】
（ＩＩＩ）Ｘ＝２８０であるとき、ｎ＝１４、即ち、ローテーション因子列の長さは、１４である。
【００９６】
ローテーション因子列が８０ＭＨｚの現在の帯域幅に対応するローテーション因子を含む場合、２８０ＭＨｚの帯域幅に対応するローテーション因子列は、８０ＭＨｚの現在の帯域幅に対応する４個のローテーション因子から開始する。ローテーション因子列は、以下の表３−１に具体的に示される。
【００９７】
【表１０】
2021517431.tif 000017
【００９８】
表３−１に示されるローテーション因子列のいずれか１つが使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表３−２内に示され得る。
【００９９】
【表１１】
2021517431.tif 000018
【０１００】
（ＩＶ）Ｘ＝３２０であるとき、ｎ＝１６、即ち、ローテーション因子列の長さは、１６である。
【０１０１】
ローテーション因子列が８０ＭＨｚの現在の帯域幅に対応するローテーション因子を含む場合、３２０ＭＨｚの帯域幅に対応するローテーション因子列は、８０ＭＨｚの現在の帯域幅に対応する４個のローテーション因子から開始する。ローテーション因子列は、以下の表４−１内に具体的に示される。
【０１０２】
【表１２】
2021517431.tif 000019
【０１０３】
表４−１に示されるローテーション因子列のいずれか１つが使用されるとき、ＰＰＤＵのフレーム構造内に含まれるレガシープリアンブル（即ち、Ｌ−ＳＴＦ、Ｌ−ＬＴＦ、及びＬ−ＳＩＧフィールド）に対応するＰＡＰＲは、以下の表４−２内に示され得る。
【０１０４】
【表１３】
2021517431.tif 000020
【０１０５】
本出願のこの実施形態において、無線通信デバイスは、１６０ＭＨｚを超えるＸ  ＭＨｚの帯域幅を有するＰＰＤＵを生成して送ることができ、ここで、Ｘ  ＭＨｚの帯域幅は、Ｙ  ＭＨｚのｎ個の帯域幅を含み、ＰＰＤＵ内のいくつか又は全てのフィールドは、ローテーション因子列を使用することによってＹ  ＭＨｚのｎ個の帯域幅内でローテーションされ、ローテーション因子列は、ｎ個のローテーション因子を含み、Ｙ  ＭＨｚの各帯域幅は、１個のローテーション因子に対応している。このようにして、ＰＰＤＵのＰＡＰＲは、ローテーション因子列を使用することによって低減されることが可能である。加えて、Ｘ  ＭＨｚが２００ＭＨｚ、２４０ＭＨｚ、２８０ＭＨｚ、又は３２０ＭＨｚであるとき、ＰＰＤＵ内のいくつか又は全てのフィールドのＰＡＰＲが最小化されるように、ＰＰＤＵのＰＡＰＲは、本出願のこの実施形態において提供されるローテーション因子列を使用することによってさらに低減されることが可能である。
【０１０６】
前述は、本出願の実施形態において提供される解決策を説明する。前述の機能を実装するために、情報送信装置（例えば、ＡＰ又はＳＴＡ）は、これらの機能を実行するための対応するハードウェア構造及び／又はソフトウェアモジュールを含むことを理解されよう。本明細書において開示される実施形態において説明される例の単位及びアルゴリズムステップと組み合わせて、本出願は、ハードウェア又はハードウェアとコンピュータソフトウェアの組合せによって実装され得ることを当業者は容易に認識されたい。機能がハードウェアによって実行されるか、又はコンピュータソフトウェアによって駆動されるハードウェアによって実行されるかは、特定の適用例及び技術的解決策の設計制約に依存する。当業者は、説明された機能を各特定の適用例に対して実装するために異なる方法を使用することができるが、その実装は本出願の範囲を超えると見なされるべきではない。
【０１０７】
本出願の実施形態において、情報送信装置は、前述の方法例に基づいて、機能モジュールに分割され得る。例えば、各機能に対応する各機能モジュールは、分割によって取得されてよいか、又は２つ以上の機能が１つの処理モジュール内に統合されてよい。機能モジュールは、ハードウェアの形態で実装されてよく、又はソフトウェア機能モジュールの形態で実装されてよい。本出願の実施形態において、モジュール分割は、一例として使用され、単なる論理機能分割であることに留意されたい。実際の実装において、別の分割方法が使用されてよい。以下は、説明の一例として、対応する機能に基づく各機能モジュールの分割を使用する。
【０１０８】
図９は、情報送信装置の考えられる概略構造図である。情報送信装置は、生成ユニット９０１と送信ユニット９０２とを含む。生成ユニット９０１は、前述の実施形態におけるステップ４０１を実行する際に情報送信装置をサポートするように構成され、送信ユニット９０２は、前述の実施形態におけるステップ４０２を実行する際に情報送信装置をサポートするように構成される。さらに、情報送信装置は、選択ユニット９０３をさらに含み得る。選択ユニット９０３は、前述の実施形態におけるステップ４００を実行する際に情報送信装置をサポートするように構成される。前述の方法実施形態におけるステップの全ての関係する内容は、対応する機能モジュールの機能説明において言及されていることがある。本明細書において詳細は説明されない。
【０１０９】
図１０は、情報送信装置の別の考えられる概略構成図である。情報送信装置は、処理モジュール１００２と通信モジュール１００３とを含む。処理モジュール１００２は、情報送信装置の活動を制御及び管理するように構成される。例えば、処理モジュール１００２は、前述の実施形態におけるステップ４００及びステップ４０１を実行する際に情報送信装置をサポートするように構成され、及び／又は本明細書において説明される別の技術処置を実行するように構成される。通信モジュール１００３は、前述の実施形態におけるステップ４０２を実行する際に情報送信装置をサポートするように構成される。任意選択で、情報送信装置は、情報送信装置のプログラムコード及びデータを記憶するように構成されたストレージモジュール１００１をさらに含み得る。
【０１１０】
ハードウェア実装に基づいて、ストレージモジュール１００１はメモリであり、処理モジュール１００２はプロセッサであってよく、通信モジュール１００３は通信インターフェースであってよい。通信インターフェースは、トランシーバと呼ばれることもあり、トランシーバは、受信機と送信機の統合物であってよい。
【０１１１】
図１１は、本出願の実施形態による、情報送信装置の考えられる製品形態の構造図である。
【０１１２】
考えられる製品形態において、情報送信装置は、情報送信デバイスであってよく、情報送信デバイスは、プロセッサ１１０２とトランシーバ１１０３とを含む。プロセッサ１１０２は、情報送信装置の活動を制御及び管理するように構成される。例えば、プロセッサ１１０２は、前述の実施形態におけるステップ４００及びステップ４０１を実行する際に情報送信装置をサポートするように構成され、及び／又は本明細書で説明される別の技術的処置を実行するように構成される。トランシーバ１１０３は、前述の実施形態におけるステップ４０２を実行する際に情報送信装置をサポートするように構成される。任意選択で、情報送信デバイスは、メモリ１１０１をさらに含み得る。
【０１１３】
別の製品形態において、情報送信装置は、情報送信盤であってよく、情報送信盤は、プロセッサ１１０２とトランシーバ１１０３とを含む。プロセッサ１１０２は、情報送信装置の活動を制御及び管理するように構成される。例えば、プロセッサ１１０２は、前述の実施形態におけるステップ４００及びステップ４０１を実行する際に情報送信装置をサポートするように構成され、及び／又は本明細書で説明される別の技術的処置を実行するように構成される。トランシーバ１１０３は、前述の実施形態におけるステップ４０２を実行する際に情報送信装置をサポートするように構成される。任意選択で、情報送信盤は、メモリ１１０１をさらに含み得る。
【０１１４】
別の考えられる製品形態において、情報送信装置は、汎用プロセッサ、即ち、一般的に知られているチップによっても実装される。汎用プロセッサは、プロセッサ１１０２と通信インターフェース１１０３とを含む。任意選択で、汎用プロセッサは、メモリ１１０１をさらに含み得る。
【０１１５】
別の考えられる製品形態において、情報表示装置は、以下の構成要素、即ち、１つ又は複数のＦＰＧＡ（ｆｉｅｌｄ  ｐｒｏｇｒａｍｍａｂｌｅ  ｇａｔｅ  ａｒｒａｙ）、ＰＬＤ（ｐｒｏｇｒａｍｍａｂｌｅ  ｌｏｃｇｉｃ  ｄｅｖｉｃｅ）、コントローラ、状態機械、ゲート論理、個別ハードウェア構成要素、任意の他の好適な回路、又は本出願において説明される様々な機能を実行することができる回路の任意の組合せを使用することによっても実装され得る。
【０１１６】
プロセッサ１１０２は、中央処理装置、汎用プロセッサ、デジタル信号プロセッサ、特定用途向け集積回路、フィールドプログラマブルゲートアレイ若しくは別のプログラマブル論理デバイス、トランジスタ論理デバイス、ハードウェア構成要素、又はそれらの任意の組合せであってよい。プロセッサは、本明細書で開示される内容を参照しながら説明された、様々な例示的な論理ブロック、モジュール、及び回路を実装又は実行し得る。代替として、プロセッサは、計算機能を実装するプロセッサの組合せ、例えば、１つ又は複数のマイクロプロセッサの組合せ、又はデジタル信号プロセッサとマイクロプロセッサの組合せであってよい。バス１１０４は、周辺構成要素相互接続（ｐｅｒｉｐｈａｒａｌ  ｃｏｍｐｏｎｅｎｔ  ｉｎｔｅｒｃｏｎｎｅｃｔ、ＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。バスは、アドレスバス、データバス、制御バスなどに分類され得る。表現を容易にするために、図１１においてバスを表すために１つの実線のみが使用されているが、これは、１つのバスのみ又は１つのタイプのバスのみが存在することを意味しない。
【０１１７】
これらの方法実施形態のステップの全て又はいくつかは関連ハードウェアに命令するプログラムによって実装され得ることを当業者は理解されよう。プログラム命令は、コンピュータ可読記録媒体内に記憶され得る。プログラム命令が実行するとき、これらの方法実施形態のステップが実行される。前述の記録媒体は、ＵＳＢフラッシュドライブ、リムーバブルハードディスク、ＲＯＭ、ＲＡＭ、磁気ディスク、又は光ディスクなど、プログラムコードを記憶することができる任意の媒体を含む。
【０１１８】
一態様によれば、本出願の実施形態は、可読記録媒体をさらに提供する。可読記録媒体はコンピュータ実行可能命令を記憶し、コンピュータ実行可能命令が実行されるとき、デバイス（シングルチップマイクロコンピュータ、チップ、コントローラなどであってよい）又はプロセッサは、本出願において提供される情報送信方法におけるステップを実行することが可能にされる。
【０１１９】
一態様によれば、本出願の実施形態は、コンピュータプログラム製品をさらに提供する。コンピュータプログラム製品は、コンピュータ実行可能命令を含み、コンピュータ実行可能命令は、コンピュータ可読記録媒体内に記憶され、デバイスの少なくとも１つのプロセッサは、コンピュータ可読記録媒体からコンピュータ実行可能命令を読み取ることができ、少なくとも１つのプロセッサは、デバイスが本出願において提供される情報送信方法におけるステップを実行するように、コンピュータ実行可能命令を実行する。
【０１２０】
本出願の実施形態では、情報処理装置は、１６０ＭＨｚを超えるＸ  ＭＨｚの帯域幅を有するＰＰＤＵを生成し、そのＰＰＤＵを送ることができる。Ｘ  ＭＨｚの帯域幅は、Ｙ  ＭＨｚのｎ個の帯域幅を含み、ＰＰＤＵ内のいくつか又は全てのフィールドは、ローテーション因子列を使用することによってＹ  ＭＨｚのｎ個の帯域幅内でローテーションされ、ローテーション因子列は、ｎ個のローテーション因子を含み、Ｙ  ＭＨｚの各帯域幅は、ＰＰＤＵのＰＡＰＲがローテーション因子列を使用することによって低減されることが可能であるように、１個のローテーション因子に対応する。加えて、Ｘ  ＭＨｚが２００ＭＨｚ、２４０ＭＨｚ、２８０ＭＨｚ、又は３２０ＭＨｚであるとき、ＰＰＤＵのＰＡＰＲは、ＰＰＤＵのいくつかのフィールド又は全てフィールドのＰＡＰＲが最適であるように、本出願のこの実施形態において提供されるローテーション因子列を使用することによってさらに低減されることが可能である。
【０１２１】
結論として、前述の説明は本出願の単に特定の実装であり、本出願の保護範囲を限定することが意図されないことに留意されたい。本出願において開示される技術的範囲内の任意の改変又は置換は、本出願の保護範囲に該当するものとする。従って、本出願の保護範囲は、請求項の保護範囲の対象となるものとする。
【図１】
2021517431.tif 000021
【図２】
2021517431.tif 000022
【図３】
2021517431.tif 000023
【図４】
2021517431.tif 000024
【図５】
2021517431.tif 000025
【図６】
2021517431.tif 000026
【図７】
2021517431.tif 000027
【図８】
2021517431.tif 000028
【図９】
2021517431.tif 000029
【図１０】
2021517431.tif 000030
【図１１】
2021517431.tif 000031
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
情報送信方法であって、前記方法は、
Ｘ  ＭＨｚの帯域幅を持つ物理レイヤプロトコルデータユニット（ＰＰＤＵ）を生成するステップであって、Ｘ＞１６０であり、前記ＰＰＤＵ内のいくつか又は全てのフィールドは、ローテーション因子列を用いることによって、Ｘ  ＭＨｚの前記帯域幅の中でローテーションされ、Ｘ  ＭＨｚの前記帯域幅は、Ｙ  ＭＨｚのｎ個の帯域幅を含み、前記ローテーション因子列は、ｎ個のローテーション因子を含み、Ｙ  ＭＨｚの各帯域幅は、１つのローテーション因子に対応する、ステップと、
Ｘ  ＭＨｚの前記帯域幅を持つ前記ＰＰＤＵを送信するステップと
を含む、方法。
【請求項２】
Ｘ  ＭＨｚの帯域幅を持つＰＰＤＵを生成する前記ステップの前に、前記方法は、
前記ＰＰＤＵを送信するためのＸ  ＭＨｚの前記帯域幅を選択するステップであって、前記Ｘ  ＭＨｚは、次のもの、即ち、２００ＭＨｚ、２４０ＭＨｚ、２８０ＭＨｚ、及び３２０ＭＨｚのうちのいずれか１つである、ステップをさらに含む、
請求項１に記載の方法。
【請求項３】
前記ＰＰＤＵに含まれるレガシーショートトレーニングフィールドＬ−ＳＴＦ、レガシーロングトレーニングフィールドＬ−ＬＴＦ、及びレガシーシグナルフィールドＬ−ＳＩＧは、Ｙ  ＭＨｚの前記ｎ個の帯域幅において複製され、前記Ｌ−ＳＴＦ、前記Ｌ−ＬＴＦ、及び前記Ｌ−ＳＩＧは、前記ローテーション因子列を用いることによってローテーションされる、
請求項１又は２に記載の方法。
【請求項４】
Ｙ  ＭＨｚの前記ｎ個の帯域幅の少なくとも１つ内のフィールドがローテーションされる、
請求項１〜３のいずれか１項に記載の方法。
【請求項５】
Ｙ＝２０であり、前記ローテーション因子列における最初の４つのローテーション因子は［１  −１  −１  −１］である、
請求項１〜４のいずれか１項に記載の方法。
【請求項６】
Ｘ＝２００であり、前記ローテーション因子列は、［１  −１  −１  −１  −１  −ｊ  ｊ  −ｊ  −１  １］である、
請求項５に記載の方法。
【請求項７】
Ｘ＝２４０であり、前記ローテーション因子列は、次の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである、
請求項５に記載の方法。
【請求項８】
Ｘ＝２８０であり、前記ローテーション因子列は、次の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のうちのいずれか１つである、
請求項５に記載の方法。
【請求項９】
Ｘ＝３２０であり、前記ローテーション因子列は、次の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のうちのいずれか１つである、
請求項５に記載の方法。
【請求項１０】
Ｘ＝２００、Ｙ＝２０、ｎ＝１０であり、前記ローテーション因子列は、以下の表１に示されたローテーション因子列のいずれか１つである、
請求項１〜４のいずれか１項に記載の方法。
【表１】
2021517431.tif 000032
【請求項１１】
Ｘ＝２４０、Ｙ＝２０、ｎ＝１２であり、前記ローテーション因子列は、以下の表２に示されたローテーション因子列のいずれか１つである、
請求項１〜４のいずれか１項に記載の方法。
【表２−１】
2021517431.tif 000033
【表２−２】
2021517431.tif 000034
【表２−３】
2021517431.tif 000035
【表２−４】
2021517431.tif 000036
【表２−５】
2021517431.tif 000037
【請求項１２】
情報送信装置であって、前記装置は、
Ｘ  ＭＨｚの帯域幅を持つ物理レイヤプロトコルデータユニットＰＰＤＵを生成することであって、Ｘ＞１６０であり、前記ＰＰＤＵ内のいくつか又は全てのフィールドは、ローテーション因子列を用いることによって、Ｘ  ＭＨｚの前記帯域幅の中でローテーションされ、Ｘ  ＭＨｚの前記帯域幅は、Ｙ  ＭＨｚのｎ個の帯域幅を含み、前記ローテーション因子列は、ｎ個のローテーション因子を含み、Ｙ  ＭＨｚの各帯域幅は、１つのローテーション因子に対応する、ことを行うように構成された生成ユニットと、
Ｘ  ＭＨｚの前記帯域幅を持つ前記ＰＰＤＵを送信するように構成された送信ユニットと
を備える、情報送信装置。
【請求項１３】
前記装置は、前記ＰＰＤＵを送信するためのＸ  ＭＨｚの前記帯域幅を選択することであって、前記Ｘ  ＭＨｚは、次のもの、即ち、２００ＭＨｚ、２４０ＭＨｚ、２８０ＭＨｚ、及び３２０ＭＨｚのうちのいずれか１つである、ことを行うように構成された選択ユニットをさらに備える、
請求項１２に記載の装置。
【請求項１４】
前記ＰＰＤＵに含まれる、レガシーショートトレーニングフィールドＬ−ＳＴＦ、レガシーロングトレーニングフィールドＬ−ＬＴＦ、及びレガシーシグナルフィールドＬ−ＳＩＧは、Ｙ  ＭＨｚの前記ｎ個の帯域幅において複製され、前記Ｌ−ＳＴＦ、前記Ｌ−ＬＴＦ、及び前記Ｌ−ＳＩＧは、前記ローテーション因子列を用いることによってローテーションされる、
請求項１２又は１３に記載の装置。
【請求項１５】
Ｙ  ＭＨｚの前記ｎ個の帯域幅の少なくとも１つ内のフィールドがローテーションされる、
請求項１２〜１４のいずれか１項に記載の装置。
【請求項１６】
Ｙ＝２０であり、前記ローテーション因子列における最初の４つのローテーション因子は［１  −１  −１  −１］である、
請求項１２〜１５のいずれか１項に記載の装置。
【請求項１７】
Ｘ＝２００であり、前記ローテーション因子列は、［１  −１  −１  −１  −１  −ｊ  ｊ  −ｊ  −１  １］である、
請求項１６に記載の装置。
【請求項１８】
Ｘ＝２４０であり、前記ローテーション因子列は、次の列、即ち、［１  −１  −１  −１  １  １  １  １  −１  １  １  −１］、［１  −１  −１  −１  １  −１  １  １  −１  １  １  １］、［１  −１  −１  −１  ｊ  −１  １  −１  −１  １  −ｊ  １］、［１  −１  −１  −１  −１  １  １  １  −１  １  −１  −１］、［１  −１  −１  −１  −１  １  −１  −１  １  −１  １  １］、［１  −１  −１  −１  −１  −１  １  １  −１  １  −１  １］、及び［１  −１  −１  −１  −ｊ  −１  １  −１  −１  １  ｊ  １］のうちのいずれか１つである、
請求項１６に記載の装置。
【請求項１９】
Ｘ＝２８０であり、前記ローテーション因子列は、次の列、即ち、［１  −１  −１  −１  ｊ  １  −１  ｊ  −ｊ  −ｊ  −ｊ  １  ｊ  −ｊ］、［１  −１  −１  −１  ｊ  １  −ｊ  ｊ  −ｊ  −ｊ  −ｊ  １  ｊ  −１］、［１  −１  −１  −１  ｊ  −ｊ  １  ｊ  −ｊ  −ｊ  −ｊ  １  −１  ｊ］、［１  −１  −１  −１  ｊ  −ｊ  ｊ  ｊ  −ｊ  −ｊ  −ｊ  １  −１  １］、［１  −１  −１  −１  −ｊ  １  ｊ  −ｊ  ｊ  ｊ  ｊ  １  −ｊ  −１］、［１  −１  −１  −１  −ｊ  １  −１  −ｊ  ｊ  ｊ  ｊ  １  −ｊ  ｊ］、［１  −１  −１  −１  −ｊ  ｊ  １  −ｊ  ｊ  ｊ  ｊ  １  −１  −ｊ］、及び［１  −１  −１  −１  −ｊ  ｊ  −ｊ  −ｊ  ｊ  ｊ  ｊ  １  −１  １］のうちのいずれか１つである、
請求項１６に記載の装置。
【請求項２０】
Ｘ＝３２０であり、前記ローテーション因子列は、次の列、即ち、［１  −１  −１  −１  １  １  ｊ  −ｊ  １  −１  １  １  １  １  −ｊ  ｊ］、［１  −１  −１  −１  １  １  −ｊ  ｊ  １  −１  １  １  １  １  ｊ  −ｊ］、［１  −１  −１  −１  １  ｊ  １  −ｊ  １  １  −１  １  １  −ｊ  １  ｊ］、［１  −１  −１  −１  １  ｊ  −ｊ  １  １  １  １  −１  １  −ｊ  ｊ  １］、［１  −１  −１  −１  １  −ｊ  １  ｊ  １  １  −１  １  １  ｊ  １  −ｊ］、［１  −１  −１  −１  １  −ｊ  ｊ  １  １  １  １  −１  １  ｊ  −ｊ  １］、［１  −１  −１  −１  ｊ  １  ｊ  −１  −１  −１  １  −１  −ｊ  １  −ｊ  −１］、［１  −１  −１  −１  ｊ  １  −１  ｊ  −１  −１  −１  １  −ｊ  １  −１  −ｊ］、［１  −１  −１  −１  ｊ  ｊ  １  −１  −１  １  −１  −１  −ｊ  −ｊ  １  −１］、［１  −１  −１  −１  ｊ  ｊ  −１  １  −１  １  −１  −１  −ｊ  −ｊ  −１  １］、［１  −１  −１  −１  ｊ  −１  １  ｊ  −１  −１  −１  １  −ｊ  −１  １  −ｊ］、［１  −１  −１  −１  ｊ  −１  ｊ  １  −１  −１  １  −１  −ｊ  −１  −ｊ  １］、［１  −１  −１  −１  −１  ｊ  −１  −ｊ  １  １  −１  １  −１  −ｊ  −１  ｊ］、［１  −１  −１  −１  −１  ｊ  −ｊ  −１  １  １  １  −１  −１  −ｊ  ｊ  −１］、［１  −１  −１  −１  −１  −１  ｊ  −ｊ  １  −１  １  １  −１  −１  −ｊ  ｊ］、［１  −１  −１  −１  −１  −１  −ｊ  ｊ  １  −１  １  １  −１  −１  ｊ  −ｊ］、［１  −１  −１  −１  −１  −ｊ  ｊ  −１  １  １  １  −１  −１  ｊ  −ｊ  −１］、［１  −１  −１  −１  −１  −ｊ  −１  ｊ  １  １  −１  １  −１  ｊ  −１  −ｊ］、［１  −１  −１  −１  −ｊ  １  −１  −ｊ  −１  −１  −１  １  ｊ  １  −１  ｊ］、［１  −１  −１  −１  −ｊ  １  −ｊ  −１  −１  −１  １  −１  ｊ  １  ｊ  −１］、［１  −１  −１  −１  −ｊ  −１  １  −ｊ  −１  −１  −１  １  ｊ  −１  １  ｊ］、［１  −１  −１  −１  −ｊ  −１  −ｊ  １  −１  −１  １  −１  ｊ  −１  ｊ  １］、［１  −１  −１  −１  −ｊ  −ｊ  １  −１  −１  １  −１  −１  ｊ  ｊ  １  −１］、及び［１  −１  −１  −１  −ｊ  −ｊ  −１  １  −１  １  −１  −１  ｊ  ｊ  −１  １］のうちのいずれか１つである、
請求項１６に記載の装置。
【請求項２１】
Ｘ＝２００、Ｙ＝２０、ｎ＝１０であり、前記ローテーション因子列は、以下の表３に示されたローテーション因子列のいずれか１つである、
請求項１２〜１５のいずれか１項に記載の装置。
【表３】
2021517431.tif 000038
【請求項２２】
Ｘ＝２４０、Ｙ＝２０、ｎ＝１２であり、前記ローテーション因子列は、以下の表４に示されたローテーション因子列のいずれか１つである、
請求項１２〜１５のいずれか１項に記載の装置。
【表４−１】
2021517431.tif 000039
【表４−２】
2021517431.tif 000040
【表４−３】
2021517431.tif 000041
【表４−４】
2021517431.tif 000042
【表４−５】
2021517431.tif 000043
【請求項２３】
情報送信装置であって、前記装置は、プロセッサとメモリとを備え、前記メモリは、命令を格納するように構成され、前記プロセッサは、前記メモリ内の前記命令を実行して、請求項１〜１１のいずれか１項に記載の前記方法を実行するように構成されている、
情報送信装置。
【請求項２４】
コンピュータ可読記録媒体であって、前記コンピュータ可読記録媒体は、コンピュータプログラムを格納するように構成され、前記コンピュータプログラムがコンピュータ上で実行されるとき、前記コンピュータは、請求項１〜１１のいずれか１項に記載の前記方法を実行することができるようになる、
コンピュータ可読記録媒体。
【請求項２５】
コンピュータプログラムであって、前記コンピュータプログラムは、請求項１〜１１のいずれか１項に記載の前記方法を実行するために用いられる命令を含む、
コンピュータプログラム。
【請求項２６】
請求項１〜１１のいずれか１項に記載の前記方法を実行するように構成された、
情報送信装置。
【国際調査報告】
2021517431.tif 000044
2021517431.tif 000045
2021517431.tif 000046
2021517431.tif 000047